(57)【要約】【課題】音声出力が監視情報の多量に発生した場合であっても監視情報を運転員に適正に出力できる電力系統監視制御装置を提供することである。【解決手段】遠方監視制御装置１２からの監視情報を入力し、監視情報を警報出力装置１８や音声出力装置１７に出力するとともに、監視情報を画面に表示してオペレータの操作を行うマンマシン装置１６を備え、遠方監視制御装置１２からの監視情報を取り込み出力信号への変換を行う信号制御手段１５と、監視情報のうち音声出力の監視情報が一定時間内に所定値以上発生したときは音声出力装置１７への音声出力を抑止する判断手段１９とを備える。【選択図】  図１
2010279112.tif 000002
【特許請求の範囲】
【請求項１】
遠方監視制御装置からの監視情報を入力し、前記監視情報を警報出力装置や音声出力装置に出力するとともに、前記監視情報を画面に表示してオペレータの操作を行うマンマシン装置を備え、電力系統の監視制御を行う電力系統監視制御装置において、前記遠方監視制御装置からの監視情報を取り込み出力信号への変換を行う信号制御手段と、前記監視情報のうち音声出力の監視情報が一定時間内に所定値以上発生したときは前記音声出力装置への音声出力を抑止する判断手段とを備えたことを特徴とする電力系統監視制御装置。
【請求項２】
前記判断手段は、優先度の高い順に音声出力の監視情報を取り出し前記音声出力装置に出力することを特徴とする請求項１記載の電力系統監視制御装置。
【請求項３】
前記音声出力装置を複数台設け、音声出力の監視情報の出力先の音声出力装置を予め記憶した音声出力先記憶部を設け、前記判断手段は、音声出力の監視情報を前記音声出力先記憶部に記憶された出力先の音声出力装置に音声出力することを特徴とする請求項１または請求項２に記載の電力系統監視制御装置。
【請求項４】
前記監視情報のうち音声出力の監視情報を録音する音声データ保存部を設け、前記マンマシン装置からの指令により前記音声データ保存部に録音した音声出力の監視情報を前記音声出力装置に音声出力することを特徴とする請求項１乃至３のいずれか１項に記載の電力系統監視制御装置。
【請求項５】
前記マンマシン装置からの指令により前記音声データ保存部に録音した音声出力の監視情報を文字データに変換し文字表示装置に文字出力する音声データ文字変換手段を設けたことを特徴とする請求項４記載の電力系統監視制御装置。
【請求項６】
前記音声データ保存部に録音した音声出力の監視情報の出力履歴を管理する履歴管理手段を設けたことを特徴とする請求項４または請求項５に記載の電力系統監視制御装置。
【発明の詳細な説明】
【技術分野】
【０００１】
本発明は、遠方監視制御装置からの監視情報に基づいて電力系統の状態を監視する電力系統監視制御装置に関する。
【背景技術】
【０００２】
一般に、電力系統監視制御装置は監視制御システムに組み込まれ、電力系統用における運転状況の変化や外乱（監視情報）が発生した際に、警報出力装置や音声出力装置あるいはマンマシン装置等に信号を出力し、オペレータに運転や監視状況を知らせ対応を促すものである。
【０００３】
図９は従来の電力系統監視制御装置１１の構成図である。電力系統からの監視情報は遠方監視制御装置１２より伝送路１３を経由して電力系統監視制御装置１１の電子計算機１４に取り込まれる。そして、電子計算機１４の信号制御手段１５で、監視情報の取り込みや出力信号への変換を行い、この出力信号をマンマシン装置１６、音声出力装置１７あるいは警報出力装置１８に出力する。
【０００４】
ここで、マンマシン装置１６は監視情報を画面に表示することでオペレータに監視情報の詳細を視覚として知らせるものであり、音声出力装置１７は音声を用いることで席を離れていても監視情報の内容を素早くオペレータに聴覚として知らせるものであり、警報出力装置１８は即時に認知しなければならない監視情報が発生したことを瞬時に聴覚を通じてにオペレータに知らせるものである。このように、それぞれの特質に応じて監視情報を出力するようにしている。
【０００５】
プラント情報に基づいて制御ロジックによって操作指令を出力すると判定したとき、操作指令の内容を運転員へ音声出力して知らせるため音声出力要求を音声出力装置へ出力する一方、音声出力完了信号を受け取った後に操作信号出力手段によってプラントへ操作指令を出力し、操作指令によって操作が完了したか否かを監視タイマーにより監視し、プラント機器へ操作指令を出力する前に運転監視装置が運転員に対して操作内容を音声で通報して安全なプラントの運転を図るようにしたものがある（例えば、特許文献１参照）。
【先行技術文献】
【特許文献】
【０００６】
【特許文献１】特開平７−１４０８４号公報
【発明の概要】
【発明が解決しようとする課題】
【０００７】
しかし、これらの従来の装置では、監視情報が発生の都度動作していたため、監視情報が同時に多数発生した場合や繰り返して発生している場合には、音声出力装置の音声出力が多量に連続出力されることがある。図９に示す従来の電力系統監視制御装置では、監視情報が同時に多発した場合や繰り返して発生している場合には、オペレータが聞き分けられる音声出力の情報量を超えてしまい操作の妨げになる。
【０００８】
一般に、音声出力及び警報出力は重要な項目通知に用いられることが多く、監視情報の発生もランダムであるため、音声出力及び警報出力の聞き間違いや聞き漏らし等があると監視制御システムの運用上、好ましくない。
【０００９】
本発明の目的は、音声出力が監視情報の多量に発生した場合であっても監視情報を運転員に適正に出力できる電力系統監視制御装置を提供することである。
【課題を解決するための手段】
【００１０】
本発明の電力系統監視制御装置は、遠方監視制御装置からの監視情報を入力し、前記監視情報を警報出力装置や音声出力装置に出力するとともに、前記監視情報を画面に表示してオペレータの操作を行うマンマシン装置を備え、電力系統の監視制御を行う電力系統監視制御装置において、前記遠方監視制御装置からの監視情報を取り込み出力信号への変換を行う信号制御手段と、前記監視情報のうち音声出力の監視情報が一定時間内に所定値以上発生したときは前記音声出力装置への音声出力を抑止する判断手段とを備えたことを特徴とする。
【発明の効果】
【００１１】
本発明によれば、音声出力が監視情報の多量に発生した場合であっても監視情報を運転員に適正に出力できる電力系統監視制御装置を提供できる。
【図面の簡単な説明】
【００１２】
【図１】本発明の実施の形態に係わる電力系統監視制御装置の実施例１の構成図。
【図２】本発明の実施の形態における判断手段の処理内容の一例を示すフローチャート。
【図３】本発明の実施の形態における判断手段のファイルの説明図。
【図４】本発明の実施の形態における判断手段の処理内容の他の一例を示すフローチャート。
【図５】本発明の実施の形態に係わる電力系統監視制御装置の実施例２の構成図。
【図６】本発明の実施の形態に係わる電力系統監視制御装置の実施例３の構成図。
【図７】本発明の実施の形態に係わる電力系統監視制御装置の実施例４の構成図。
【図８】本発明の実施の形態に係わる電力系統監視制御装置の実施例５の構成図。
【図９】従来の電力系統監視制御装置の構成図。
【発明を実施するための形態】
【００１３】
以下、本発明に係る電力系統監視制御装置の実施の形態を説明する。図１は本発明の実施の形態に係わる電力系統監視制御装置の実施例１の構成図である。この実施例１は、図９に示した従来例に対し、監視情報のうち音声出力の監視情報が一定時間内に所定値以上発生したときは音声出力装置１７への音声出力を抑止する判断手段１９を設けたものである。図９と同一要素には同一符号を付し重複する説明は省略する。
【００１４】
遠方監視制御装置１２は、電力系統からの監視情報を伝送路１３を経由して電子計算機１４へ受け渡す装置である。電子計算機１４の信号制御手段１５は、遠方監視制御装置１２から監視情報を取り込み出力信号への変換を行うものであり、信号制御手段１５の出力信号は判断手段１９に出力される。判断手段１９は、遠方監視制御装置１２からの監視情報を、マンマシン装置１６、音声出力装置１７あるいは警報出力装置１８に出力するものであり、監視情報のうち音声出力の監視情報が一定時間内に所定値以上発生したときは音声出力装置１７への音声出力を抑止する機能を有する。
【００１５】
マンマシン装置１６は、監視情報を画面に表示することでオペレータに監視情報の詳細を視覚を通じて知らせる。また、警報装置１８は、監視情報が発生したことを瞬時に聴覚を通じてオペレータに知らせる装置であり、音声出力装置１７は、音声を用いることで席を離れていても内容を素早くオペレータにその聴覚を通じて知らせる装置である。
【００１６】
電力系統からの監視情報は、遠方監視制御装置１２より伝送路１３を経由して電子計算機１４の信号制御手段１５に取り込まれる。信号制御手段１５は取り込んだ監視情報をキュー２０に順次格納する。そして、キュー２０に格納された監視情報をマンマシン装置１６、音声出力装置１７あるいは警報出力装置１８に出力する際に、マンマシン装置１６、音声出力装置１７あるいは警報出力装置１８に適合した出力信号に変換を行い、この出力信号を判断手段１９へ受け渡す。
【００１７】
判断手段１９は、信号制御手段１５のキュー２０に格納された監視情報を読み出しファイル２１に格納し、ファイル２１に格納した監視情報をマンマシン装置１６、音声出力装置１７あるいは警報出力装置１８に出力する。その際に、監視情報のうち音声出力の監視情報が一定時間内に所定値以上発生したときは音声出力装置１７への音声出力を抑止する。
【００１８】
図２は判断手段１９の処理内容の一例を示すフローチャートである。まず、信号制御手段１５にて監視情報の多発発生が検出された場合、キュー２０より取込みを行う（Ｓ１）。続いて、事故に対応する監視情報がキュー２０より取り込まれたかどうかを判断し（Ｓ２）、監視情報が取り込まれた場合はファイル２１に監視情報の内容を保存する（Ｓ３）。
【００１９】
図３は判断手段１９のファイル２１の説明図である。ファイル２１は監視情報毎に登録され、監視情報は、発生日時、出力信号（警報）、出力信号（音声）、優先度、抑止フラグの項目を有している。抑止フラグには監視情報が一定時間内に所定値以上発生したときにフラグが立てられる。
【００２０】
これらステップＳ１〜Ｓ３の処理は、キュー２０が空になるまで繰り返し実施される。キュー２０が空になると、ファイル２１に保存された監視情報を順次発生時刻の順（古い順）に取り出す（Ｓ４）。そして、その監視情報の内容が警報出力要求か否かを判断する（Ｓ５）。警報出力要求か否かを判断は、図３に示した監視情報の出力信号（警報）をチェックすることにより判断される。
【００２１】
警報出力要求の場合は警報出力装置１８へ警報出力要求を行い（Ｓ６）、ステップＳ７に進む。一方、ステップＳ５の判断で警報出力要求以外の場合もステップＳ７に進む。
【００２２】
次に、ステップＳ７では、音声出力要求であるか否かを判断する（Ｓ７）。音声出力要求であるか否かを判断は、図３に示した監視情報の出力信号（音声）をチェックすることにより判断される。音声出力要求である場合は、一定時間内にＮ個の音声出力信号が要求された多発発生か否かが判定され（Ｓ８）、多発発生の場合には抑止処理を行う（Ｓ９）。この多発発生か否かは監視情報の抑止フラグを参照して行う。抑止フラグには、一定時間内に所定個数（Ｎ個）以上の音声出力要求がされた場合にフラグが立てられている。
【００２３】
また、音声出力が多量に発生した場合の抑止処理は、音声出力を抑止するとともに、音声出力を抑止した旨をマンマシン装置１６へ出力要求を行い、音声出力装置１７へ音声出力を抑止した旨の出力要求を行うことにより行われる。
【００２４】
一方、ステップＳ８で監視情報が多量に発生したと判断しない場合は、音声出力装置１７へ音声出力要求を行い（Ｓ１０）、ファイル２１に格納された監視情報すべてについて処理したか否かを判定し（Ｓ１１）、すべてを処理したときは処理を終了し、すべての監視情報の処理をしていないときはステップＳ４に戻り、ステップＳ４〜Ｓ１１の一連の処理を繰り返し行う。また、ステップＳ７の判定で音声出力要求でないときは、ステップＳ１１に進み同様の処理が行われる。
【００２５】
このように、判断手段１９により、音声出力の監視情報が多量に発生した場合には音声出力を抑止するので、オペレータへの負担、制約を最小限とすることができる。
【００２６】
次に、判断手段１９の処理内容の他の一例を説明する。図４は判断手段１９の処理内容の他の一例を示すフローチャートである。図２に示した一例に対し、ステップＳ４の監視情報を順次発生時刻の順（古い順）に取り出すことに代えて、優先度の高い順に音声出力の監視情報を取り出すようにしたものである。図２と同一ステップには同一符号を付し重複する説明は省略する。
【００２７】
図４において、図２の場合と、同様に、信号制御手段１５にて監視情報の多発発生が検出された場合、キュー２０より取込みを行う（Ｓ１）。続いて、事故に対応する監視情報がキュー２０より取り込まれたかどうかを判断し（Ｓ２）、監視情報が取り込まれた場合はファイル２１に監視情報の内容を保存する（Ｓ３）。
【００２８】
これらステップＳ１〜Ｓ３の処理は、キュー２０が空になるまで繰り返し実施される。キュー２０が空になると、ファイル２１に保存された情報を優先度の高い順に取り出す（Ｓ４’）。優先度は、図３に示した監視情報の優先度を参照することにより判断される。続いて警報出力要求か否かを判断し（Ｓ５）し、警報出力要求の場合は警報出力装置１８へ警報出力要求を行い（Ｓ６）、ステップＳ７へ進み、警報出力要求以外の場合は直接ステップＳ７へ進む。
【００２９】
次に、音声出力要求か否かを判断し（Ｓ７）し、声出力要求の場合は一定時間内にＮ個の音声出力信号が要求された多発発生か否かを判定し（Ｓ８）、音声出力の抑止処理を行う（Ｓ９）。音声出力の監視情報が多量に発生していない場合には、音声出力装置１７へ音声出力要求を行う（Ｓ１０）。そして、ファイル２１に格納された監視情報すべてについて処理したか否かを判定し（Ｓ１１）、すべてを処理したときは処理を終了し、すべての監視情報の処理をしていないときはステップＳ４に戻り、ステップＳ４〜Ｓ１１の一連の処理を繰り返し行う。また、ステップＳ７の判定で音声出力要求でないときは、ステップＳ１１に進み同様の処理が行われる。
【００３０】
これにより、音声出力の監視情報が多量に発生した場合、優先度の高い順に音声出力を実行するので、オペレータへの情報提供をより重要なものから行うことができる。
【００３１】
図５は本発明の実施の形態に係わる電力系統監視制御装置の実施例２の構成図である。この実施例２は、図１に示した実施例１に対し、音声出力装置１７を複数台設け、音声出力の監視情報の出力先の音声出力装置を予め記憶した音声出力先記憶部２２を設け、判断手段１９は、音声出力の監視情報を音声出力先記憶部２２に記憶された出力先の音声出力装置１７に音声出力するようにしたものである。図１と同一要素には、同一符号を付し重複する説明は省略する。
【００３２】
図５において、音声出力先記憶部２２は、監視情報単位に複数箇所に設置した音声出力装置１７の出力先の音声出力装置を予め記憶している。音声出力装置１７の指定方法としては、その都度、マンマシン装置１６から指定したり、予め定めておく方法がある。判断手段１９にて行われる監視情報の出力先である音声出力装置１９の決定は、音声出力先記憶部２２に記憶された監視情報単位の出力先に従い出力する。
【００３３】
これにより、複数箇所に設置した音声出力装置１７からの監視情報単位の通報を必要とする設置箇所に行うことで、電力系統監視制御装置１１のオペレータの混乱の回避や重要な情報の見落とし防止を行え、効率的な電力系統の運用が図れる。
【００３４】
図６は本発明の実施の形態に係わる電力系統監視制御装置の実施例３の構成図である。この実施例３は、図１に示した実施例１に対し、監視情報のうち音声出力の監視情報を録音する音声データ保存部２３を設け、マンマシン装置１６からの指令により、音声データ保存部２３に録音した音声出力の監視情報を音声出力装置１７に音声出力するようにしたものである。図１と同一要素には、同一符号を付し重複する説明は省略する。
【００３５】
図６において、音声データ保存部２３は、音声出力装置１７より出力する情報を判断手段１９で編集する前の情報で保存する。また、判断手段１９は、マンマシン装置１６からの指令に基づいて、音声データ保存部２３に保存している情報をマンマシン装置１６に表示したり、音声出力装置１７に出力して音声出力を再生する。さらに、マンマシン装置１６への表示内容が電力系統監視制御装置１１のオペレータにより最適な表示内容となるように、表示内容編集機能を判断手段１９に備えるようにしてもよい。
【００３６】
これにより、電力系統監視制御装置１１のオペレータが必要とする音声データを任意の時間に任意の回数確認することが可能となる。従って、重要な情報の見落とし防止に加え、電力系統運用解析作業に有効な情報を収集することができる。さらに、編集機能により多重事故などの解析作業を行う場合、電力系統の動きを時系列や系統別など最適な状態で整理分類し確認することが可能となり、多重事故解析などの作業の効率化が図られる。
【００３７】
図７は本発明の実施の形態に係わる電力系統監視制御装置の実施例４の構成図である。この実施例４は、図６に示した実施例３に対し、文字表示装置２４と、音声データ文字変換手段２５とを追加して設け、音声データ文字変換手段２５は、マンマシン装置１６からの指令により音声データ保存部２３に録音した音声出力の監視情報を文字データに変換し文字表示装置に文字出力するようにしたものである。図６と同一要素には同一符号を付し重複する説明は省略する。
【００３８】
図７において、音声データ文字変換手段２５は、マンマシン装置１６からの指令により、音声データ保存部２３に保存した音声データを文字データに変換し、文字表示装置２４に表示する。音声データ文字変換手段２５は、音声データ保存部２３で保存した音声データを文字データに変換する際、重要度合に応じて表示色を変える機能も具備する。
【００３９】
これにより、電力系統監視制御装置１１のオペレータが必要とする音声データを任意の時間に任意の回数目視で確認することが可能となる。従って、重要な情報の見落とし防止に加え、電力系統運用解析作業に有効な情報を収集することができる。さらに運転員の訓練を行う場合、音声でなく文字表示で「表示情報の変化」の再確認を行うことができるので、他の訓練中のオペレータの作業を妨げることなく訓練を行うことができる。
【００４０】
図８は本発明の実施の形態に係わる電力系統監視制御装置の実施例５の構成図である。この実施例５は、図６に示した実施例３に対し、表示装置２６と、印刷装置２７と、履歴管理手段２８とを追加して設け、履歴管理手段２８は、マンマシン装置１６からの指令により、音声データ保存部２３に録音した音声出力の監視情報についての出力履歴を表示装置２６や印刷装置２７に出力し、音声出力の履歴を管理するようにしたものである。図６と同一要素には同一符号を付し重複する説明は省略する。
【００４１】
図８において、履歴管理手段２８は、音声出力の履歴情報を保存した履歴データ２９と、履歴データ２９の音声出力の履歴情報を管理処理する履歴データ処理手段３０とから構成されている。また、履歴管理手段２８の履歴データ処理手段３０は、履歴情報を表示装置２６や印刷装置２７に出力する画面表示機能や印刷機能も有する。
【００４２】
これにより、電力系統監視制御装置１１のオペレータが必要とする系統故障情報を、出力された音声データの履歴情報を元に管理可能となる。従って、重要な情報の見落とし防止に加え、電力系統運用解析作業に有効な情報を収集することができる。さらに系統故障時の状況や電力系統の動きを時系列や系統別など最適な状態で整理分類し確認することが可能となり、電力系統に発生した多重事故の解析などの作業の効率化を図ることができる。
【符号の説明】
【００４３】
１１…電力系統監視制御装置、１２…遠方監視制御装置、１３…伝送路、１４…電子計算機、１５…信号制御手段、１６…マンマシン装置、１７…音声出力装置、１８…警報出力装置、１９…判断手段、２０…キュー、２１…ファイル、２２…音声出力先記憶部、２３…音声データ保存部、２４…文字表示装置、２５…音声データ文字変換手段、２６…表示装置、２７…印刷装置、２８…履歴管理手段、２９…履歴データ、３０…履歴データ処理手段
【図１】
2010279112.tif 000003
【図２】
2010279112.tif 000004
【図３】
2010279112.tif 000005
【図４】
2010279112.tif 000006
【図５】
2010279112.tif 000007
【図６】
2010279112.tif 000008
【図７】
2010279112.tif 000009
【図８】
2010279112.tif 000010
【図９】
2010279112.tif 000011